(57)【要約】      （修正有）【課題】擬餌ワームを安定した状態で釣り針に保持するとともに、擬餌ワームの引き裂きを防止することが可能な釣り針を提供する。【解決手段】釣り用フック１０は、軟質樹脂で形成された疑似餌６０に取り付けて使用される釣り針であり、ライン５１が止着されるラインアイ２１と、ラインアイの近傍に設けられ、ラインアイから延びる第１軸部２２に対して離間し、先端部３３が疑似餌に挿入可能な突出部３０と、を備える。【選択図】図３
0003221188.tif 000002
【実用新案登録請求の範囲】
【請求項１】
軟質樹脂で形成された疑似餌に取り付けて使用される釣り針であって、
前記釣り針の一端に設けられ、ラインが止着されるライン止着部と、
前記ライン止着部の近傍に設けられ、前記ライン止着部から延びる第１軸部に対して離間しており、前記ライン止着部側の先端部が前記疑似餌に挿入可能な挿入部と、を備えることを特徴とする釣り針。
【請求項２】
前記挿入部は、前記ライン止着部側へ延出し、ループ状に形成されたループ部を有する、請求項１に記載の釣り針。
【請求項３】
前記ライン止着部は、リング形状に形成されており、
前記挿入部の前記ループ部は、前記ライン止着部のリング形状の広がり方向とは異なる方向に広がっている、請求項２に記載の釣り針。
【請求項４】
前記釣り針は、前記ライン止着部から針先に至る軸部に屈曲部を有するオフセットフックであり、
前記挿入部は、前記屈曲部から前記第１軸部に平行なように前記ライン止着部側へ延出している、請求項１から３のいずれかに記載の釣り針。
【考案の詳細な説明】
【技術分野】
【０００１】
本考案は、疑似ワーム用の釣り針の改良に関する。
【背景技術】
【０００２】
従来、魚釣りにおいて、ルアーと称される疑似餌を用いてターゲットとなる対象魚を釣る所謂ルアーフィッシングが広く知られている。ルアーフィシングにおいては、アングラーは、ルアーをキャストし、ロッドを操作して、ベイトである魚や虫の動きに似るようにアクションを加えながらルアーをリトリーブする。これにより、対象魚のバイトを誘う。
【０００３】
ルアーフィッシングに使用されるルアーには様々な形態のものが存在しているなかで、釣り針に刺し通して掛止されるタイプの所謂擬餌ワーム（単に「ワーム」とも称されている。）と称されるものがある。ルアーフィッシングに擬餌ワームを用いる場合、釣り針が水中の障害物や沿岸のブッシュなどに引っ掛かったり、釣り針に水草や浮遊物が引っ掛かるのを防止するために、釣り針を擬餌ワームに刺し通し、釣り針のラインアイレット（一般にラインアイと略称されている。）の近傍と、釣り針の先端の針先（フックポイントとも称されている。）との２箇所で擬餌ワームを保持するように釣り針が取り付けられる。この場合、ラインアイレットの近傍と針先だけが擬餌ワームに挿通された状態となる。
【０００４】
ところで、擬餌ワームは軟質樹脂で形成されている。そのため、擬餌ワームをキャストしたときの反動や、擬餌ワームにアクションを加えたときの反動、障害物に接触したときの抵抗などによって、釣り針における擬餌ワームの掛け位置がずれる場合がある。具体的には、擬餌ワームが釣り針の軸に沿って移動したり、釣り針の軸を中心として回動する場合がある。この場合、釣り針における擬餌ワームの掛け位置が安定しないため、対象魚のバイトを誘うアクションを擬餌ワームに与え難くなり、釣果に影響する。
【０００５】
一方、特許文献１には、擬餌ワームが固定できるように工夫された釣り針が開示されている。この釣り針は、ラインアインの近傍の軸部から突出した突出部を有するものである。
【先行技術文献】
【特許文献】
【０００６】
【特許文献１】特開２００４−２０１５５０号公報
【考案の概要】
【考案が解決しようとする課題】
【０００７】
しかしながら、前掲した従来の釣り針は、擬餌ワームに取り付けられた場合に、ラインアインの近傍の軸部とともに上述の突出部が擬餌ワームの内部に挿通される。上述したように、擬餌ワームは軟質樹脂で形成されているため、その内部に２つに分岐する分岐部（軸部及び突出部）が挿通された状態で使用されると、キャスト或いはアクション時の反動や、障害物との接触による抵抗を受けると、擬餌ワームの内部が前記分岐部付近から引き裂かれてしまい、擬餌ワームを安定して保持することができなくなるだけでなく、引き裂き箇所を起点として擬餌ワームが容易に切断されてしまうという問題を有する。
【０００８】
本考案は、擬餌ワームを安定した状態で釣り針に保持するとともに、擬餌ワームの引き裂きを防止することが可能な釣り針を提供することにある。
【課題を解決するための手段】
【０００９】
(1)  本考案の一の局面に係る釣り針は、軟質樹脂で形成された疑似餌に取り付けて使用される釣り針である。前記釣り針は、前記釣り針の一端に設けられ、ラインが止着されるライン止着部と、前記ライン止着部の近傍に設けられ、前記ライン止着部から延びる第１軸部に対して離間しており、前記ライン止着部側の先端部が前記疑似餌に挿入可能な挿入部と、を備えることを特徴とする。
【００１０】
(2)  前記挿入部は、前記ライン止着部側へ延出し、ループ状に形成されたループ部を有する。
【００１１】
(3)  前記ライン止着部は、リング形状に形成されている。この場合、前記挿入部の前記ループ部は、前記ライン止着部のリング形状の広がり方向とは異なる方向に広がっている。
【００１２】
(4)  前記釣り針は、前記ライン止着部から針先に至る軸部に屈曲部を有するオフセットフックである。この場合、前記挿入部は、前記屈曲部から前記第１軸部に平行なように延出している。
【考案の効果】
【００１３】
本考案によれば、擬餌ワームを安定した状態で釣り針に保持するとともに、擬餌ワームの引き裂きを防止することが可能である。
【図面の簡単な説明】
【００１４】
【図１】図１は、本考案の実施形態に係る釣り用フック１０の正面図である。
【図２】図２は、本考案の実施形態に係る釣り用フック１０の斜視図である。
【図３】図３は、本考案の実施形態に係る釣り用フック１０を擬餌ワーム６０に取り付けた状態を示す模式図であり、図３（Ａ）は横から見た図であり、図３（Ｂ）は図３（Ａ）において矢視Ａから見た図である。
【図４】図４は、本考案の実施形態の変形例に係る釣り用フック１０Ａ乃至１０Ｃを示す模式図である。
【考案を実施するための形態】
【００１５】
以下、適宜図面を参照して本考案の実施形態について説明する。なお、以下に説明される実施形態は本考案を具体化した一例にすぎず、本考案の技術的範囲を限定するものではない。
【００１６】
図１は、本考案の実施形態に係る釣り用フック１０（本考案の釣り針の一例）を示す正面図、図２は、釣り用フック１０を示す斜視図である。
【００１７】
釣り用フック１０（以下「フック１０」と略称する。）は、バスフィッシングやソルトルアーフィッシングなどのルアーフィッシングにおいて、軟質樹脂で形成された擬餌ワーム６０（図３参照）に取り付けられて使用される釣り針（釣具）である。
【００１８】
フック１０は、大別すると、図１及び図２に示すように、フック本体２０と、突出部３０（本発明の挿入部の一例）と、を有している。
【００１９】
フック本体２０は、鋼製の線材を屈曲させて形成されたものである。前記線材は、例えば、ピアノ線、硬鋼線、日本工業規格（ＪＩＳ  Ｇ  ４３０８）に定められるステンレス鋼線材である。もちろん、ルアーフィッシングに要求される強度を備えるものであれば、前記線材は、鋼製のものに限られず、強度、剛性、硬度に優れており、耐腐食性の高いポリアセタールやポリカーボネートなどの合成樹脂で構成された樹脂製の線材を用いることも可能である。前記線材の外径は、対象魚をフックしたときのフッキング力及び材質に応じて決定される要素であり、これらに応じて適宜設定される。
【００２０】
フック本体２０は、一般に市販されている所謂オフセットタイプの釣り針（オフセットフック）であり、主として、フック本体２０の基端に設けられたラインアイ２１（本発明のライン止着部の一例）と、ラインアイ２１から一つ目の第１クランク２３に至る第１軸部２２と、第１クランク２３から二つ目の第２クランク２５（本考案の屈曲部の一例）に至る第２軸部２４と、第２クランク２５からベント部２７に至るシャンク２６（軸部）と、シャンク２６から針先２８に至るベント部２７と、フック本体２０の他方端に設けられた針先２８と、を有する。
【００２１】
ラインアイ２１は、ロッドから引き出されたライン５１（図３参照）が止着される部分であり、フック本体２０の一方端に設けられている。ラインアイ２１は、リング状に形成されている。本実施形態では、ラインアイ２１は、所謂縦アイであり、そのリング形状は、図１に示すように、ベント部２７の幅方向（ゲイブ幅方向）と同じ方向に広がっている。ライン５１は、ラインアイ２１に直接止着され、或いは、スナップ（不図示）を介して間接にラインアイ２１に止着される。
【００２２】
なお、本実施形態では、ラインアイ２１がリング状に形成された構成を例示するが、ラインアイ２１は、リング状のものに限られず、例えば、第１軸部２２に巻き付けられたラインを引っ掛けて止める所謂チモトであってもよい。
【００２３】
第１クランク２３及び第２クランク２５それぞれは、概ね直角に屈曲されている。第１クランク２３及び第２クランク２５それぞれの屈曲角度は、６０度〜１２０度の範囲内で定められている。本実施形態では、第１軸部２２の延出方向とシャンク２６の延出方向とが概ね同じ方向となるように、第１クランク２３及び第２クランク２５それぞれの屈曲方向及び屈曲角度が定められている。
【００２４】
なお、本実施形態では、図１に示すように、シャンク２６の長さＬ１とベント部２７のゲイブ幅Ｌ２（ベント部２７の幅）とが概ね同じサイズのフック本体２０を例示するが、本考案は、シャンク２６の長さＬ１が前記ゲイブ幅Ｌ２よりも長いロングシャンクタイプのオフセットフック、前記ゲイブ幅Ｌ２が比較的広いワイドゲイプタイプのオフセットフック、前記ゲイブ幅Ｌ２が比較的狭いナローゲイプタイプのオフセットフックにも適用可能である。
【００２５】
図２に示すように、突出部３０は、フック１０が擬餌ワーム６０（図３参照）に取り付けられて使用される状態で、擬餌ワーム６０の内部に挿入される部分である。突出部３０は、ラインアイ２１の近傍に設けられており、第１軸部２２に対して所定間隔Ｌ３だけ離間した位置に設けられている。
【００２６】
突出部３０は、弾性（バネ性）を有する線材を屈曲させて形成されたものである。前記線材は、可撓性を有する金属製又は樹脂製のワイヤーである。本実施形態では、突出部３０は、フック本体２０よりも外径の小さい直線状の樹脂ワイヤーをループ状に湾曲させた状態で、突出部３０の両端側（前記樹脂ワイヤーの両端側）の被着部３１（図１参照）がシャンク２６に固定されたものであり、第２クランク２５からラインアイ２１側（図１及び図２において上側）へ向けて延出している。そのため、突出部３０には、第２クランク２５から上側へ突出したループ部３２が形成される。
【００２７】
また、本実施形態では、ループ部３２は、第１軸部２２と概ね平行となるように第２クランク２５から上側へ突出している。そして、ループ部３２の延出方向の先端部３３は、上下方向において、ラインアイ２１の上端と概ね同じ位置に達している。
【００２８】
ここで、被着部３１をシャンク２６に固定する方法は、従来周知の種々の接合方法を適用することが可能であり、本実施形態では、水に強い接着剤や熱収縮チューブなどの固定手段３４を用いて被着部３１をシャンク２６に固定している。
【００２９】
なお、本実施形態では、突出部３０の被着部３１が上述した固定手段３４によってシャンク２６に固定された構成を例示するが、例えば、フック本体２０が金属製であり、突出部３０がフック本体２０と同じ素材のものである場合は、固定手段３４として、被着部３１をシャンク２６に溶接する手法や、ろう材で溶着する手法などを適用することも可能である。
【００３０】
また、突出部３０のループ部３２は、ラインアイ２１のリング形状の広がり方向（ベント部２７のゲイブ幅方向）とは異なる方向に広がっている。本実施形態では、ループ部３２は、ラインアイ２１のリング形状の広がり方向に対して概ね垂直な方向、具体的には、ラインアイ２１の孔の中心を通る中心線方向へ広がっている。
【００３１】
このように構成されたフック１０は、図３（Ａ）に示すように、第１軸部２２を擬餌ワーム６０内に挿通させた状態でラインアイ２１が擬餌ワーム６０の外面から露出され、突出部３０のループ部３２が擬餌ワーム６０に差し込まれて擬餌ワーム６０の内部に埋設され、更に、フック１０の先端の針先２８が擬餌ワーム６０の内部に差し込まれた状態で、ルアーフィッシングに使用される。
【００３２】
これにより、フック１０が擬餌ワーム６０に取り付けられた状態では、擬餌ワーム６０の内部に配置された第１軸部２２とループ部３２とによって、フック１０が擬餌ワーム６０にしっかりと保持される。これにより、キャスト時或いはアクション時の反動や、障害物との接触による抵抗を受けたとしても、擬餌ワーム６０に対してフック１０の位置がずれることを防止できる。また、擬餌ワーム６０にフック１０がしっかりと保持されるため、擬餌ワーム６０の内部から擬餌ワーム６０が引き裂かれて破断することを防止できる。
【００３３】
また、キャスト時或いはアクション時の反動や、障害物との接触による抵抗などによって、フック１０に対してシャンク２６の軸回り方向Ｄ１０（図３（Ｂ）参照）の力が加えられたとしても、フック１０は、擬餌ワーム６０内で互いに離間した第１軸部２２及びループ部３２によって、前記軸回り方向Ｄ１０にしっかりと保持される。このため、フック１０が前記軸回り方向Ｄ１０に位置ずれすることを防止できる。とりわけ、ループ部３２が、ラインアイ２１のリング形状の広がり方向とは異なる方向へ広がっているため、擬餌ワーム６０の内部において第１軸部２２やラインアイ２１の位置を安定させることができる。
【００３４】
また、図３（Ａ）に示す取り付け状態において、ループ部３２の分岐部分である第２クランク２５は擬餌ワーム６０の外部に配置されているため、分岐部が擬餌ワーム６０の内部に挿通された状態で使用される前掲の従来技術に比べて、擬餌ワーム６０の引き裂き防止効果が大きい。
【００３５】
なお、上述の実施形態では、２つの屈曲点を有するフック本体２０に突出部３０が設けられたフック１０について例示したが、本考案はこの構成に限られない。例えば、本考案の実施形態に係るフック１０の変形例として、以下に説明するように、図４に示すように構成されたフック１０Ａ〜１０Ｃが考えられる。なお、図４において、上述のフック１０と共通する構成については同一の符号を付し示すことにより、フック１０Ａ〜１０Ｃにおける共通の構成の説明を省略する。また、以下の説明では、上述のフック１０との相違点のみ説明する。
【００３６】
図４（Ａ）に示すように、フック１０Ａは、ラインアイ２１からベント部２７までストレート状のシャンク２６を有するフック本体２０Ａに、突出部３０Ａが取り付けられた構成を有する。この構成において、シャンク２６の上端部分が上述の第１軸部２２である。この変形例では、突出部３０Ａは略Ｌ字形状に形成されており、その一方側の基端部が第１軸部２２に取り付けられている。また、その他方側の部分が上述のループ部３２を構成しており、第１軸部２２に沿って上側へ延出している。
【００３７】
図４（Ｂ）に示すように、フック１０Ｂは、ラインアイ２１からベント部２７までの間に一つのクランク４１をフック本体２０Ｂに、突出部３０Ｂが取り付けられた構成を有する。この構成において、ラインアイ２１からクランク４１までの部分が上述の第１軸部２２である。この変形例では、突出部３０Ａは略Ｌ字形状に形成されており、その一方側の基端部がクランク４１に取り付けられている。また、その他方側の部分が上述のループ部３２を構成しており、第１軸部２２に沿って平行なように延出している。
【００３８】
図４（Ｃ）に示すように、フック１０Ｃは、一本の線材を屈曲形成することによって、上述したフック本体２０及び突出部３０を一体に形成されたものである。具体的には、線材を屈曲形成することにより、フック１０Ｃのラインアイ２１、第１軸部２２、第１クランク２３、第２軸部２４、第２クランク２５、突出部３０、シャンク２６、ベント部２７、針先２８が構成されている。この構成のフック１０Ｃにおいて、線材の基端部は第２クランク２５に溶着されており、前記基端部から順次線材を屈曲加工又は曲げ加工することにより、ループ状のループ部３２、第２クランク２５、第１クランク２３、リング上のラインアイ２１、第１クランク２３、第２クランク２５、湾曲状のベント部２７が形成される。
【００３９】
このように構成された各変形例であっても、上述した実施形態のフック１０が奏する効果と同じ効果を奏することができる。
【００４０】
なお、上述の実施形態及び各変形例では、突出部３０がループ部３２を有する構成を例示したが、突出部３０がループ部３２を有しておらず、ループ部３２に替えて、１本又は複数本の棒状の部材が第１軸部２２に平行なように設けられた構成であってもよい。
【符号の説明】
【００４１】
１０    ：釣り用フック
１０Ａ−１０Ｃ：釣り用フック
２０，２０Ａ，２０Ｂ：フック本体
２１    ：ラインアイ
２２    ：第１軸部
２３    ：第１クランク
２４    ：第２軸部
２５    ：第２クランク
２６    ：シャンク
２７    ：ベント部
２８    ：針先
３０，３０Ａ，３０Ｂ：突出部
３１    ：被着部
３２    ：ループ部
３３    ：先端部
３４    ：固定手段
４１    ：クランク
５１    ：ライン
６０    ：擬餌ワーム
【図１】
0003221188.tif 000003
【図２】
0003221188.tif 000004
【図３】
0003221188.tif 000005
【図４】
0003221188.tif 000006